(57)【要約】【課題】  マルチパス環境における受信状態（受信感度）及び受信電力測定性能を改善できるようにする。【解決手段】  複数パスから到達するスペクトラム拡散された受信信号の遅延時間に対する信号相関値電力分布である遅延プロファイルを定期的に測定する遅延プロファイル測定手段１０４と、この遅延プロファイル測定手段１０４により測定された複数回の遅延プロファイル測定結果のそれぞれにおける上位所定個数の信号相関値電力のパス遅延同士を相互に比較してパス遅延が所定値差以内のパスを有効パスとして選択する有効パス選択手段１０５とをそなえるように構成する。【選択図】        図１
2005354263.tif 000002
【特許請求の範囲】
【請求項１】
スペクトラム拡散された受信信号について遅延プロファイルを定期的に測定する遅延プロファイル測定手段と、
該遅延プロファイル測定手段により測定された複数回の遅延プロファイル測定結果のそれぞれにおける上位所定個数の信号相関値電力のパス遅延同士を相互に比較してパス遅延が所定値差以内のパスを有効パスとして選択する有効パス選択手段と、
をそなえたことを特徴とする受信装置。
【請求項２】
該有効パス選択手段が、
上記複数回の遅延プロファイル測定結果毎に、前記信号相関電力値の高い順に前記上位所定個数のパスを選択する測定結果毎上位パス選択部と、
該測定結果毎上位パス選択部により選択された各回上位所定個数のパスのパス遅延同士を相互に比較してパス遅延が前記所定値差以内で所定個数存在するパスを該有効パスとして選択する同一パス判定部と、
をそなえて構成されたことを特徴とする請求項１記載の受信装置。
【請求項３】
該有効パス選択手段が、
該同一パス判定部において該有効パスの選択結果が０の場合に、上記複数回の遅延プロファイル測定結果全体の中で信号相関電力値が高い上位所定個数のパスを該有効パスとして選択する測定結果全体上位パス選択部をさらにそなえて構成された、
ことを特徴とする、請求項２記載の受信装置。
【請求項４】
該有効パス選択手段が、
該同一パス判定部における上記所定値差及び上記所定個数のいずれか一方又は双方を該受信信号の受信環境変化に応じて可変するパラメータ制御部をさらにそなえた、
ことを特徴とする請求項２記載の受信装置。
【請求項５】
スペクトラム拡散された受信信号について遅延プロファイルを複数回測定し、
該遅延プロファイル測定手段により測定された複数回の遅延プロファイル測定結果のそれぞれにおける上位所定個数の信号相関値電力のパス遅延同士を相互に比較してパス遅延が所定値差以内のパスを有効パスとして選択する、
ことを特徴とする受信装置におけるパス選択方法。
【発明の詳細な説明】
【技術分野】
【０００１】
本発明は、受信装置及び受信装置におけるパス選択方法に関し、特に、ＣＤＭＡ（Code Division Multiple Access）方式の受信装置に用いて好適な技術に関する。
【背景技術】
【０００２】
周知の如く、直接拡散ＣＤＭＡ伝送方式は、情報データの変調信号を高速レートの拡散符号で広帯域の信号に拡散して伝送する方式である。この方式では、複数のパスを通ってきた複数のセル（基地局の無線エリア）からの信号を同時に受信し、受信した複数の信号を逆拡散してレイク合成するようにしている。
無線通信システムの移動局は、周辺の１つのセルからの信号しか受信できないときは、そのセルと通信を行なうが、複数のセルの信号を受信できるときは、その中から受信電力の大きいセルを１つまたは複数選択して通信を行なう。また、現在通信を行なっているセルよりも強い受信電力をもつセルが存在するときは、通信を行なうセルの追加又は入れ替えを行なうことにより、円滑なソフトハンドオーバを実現している。これらから、ＣＤＭＡ伝送方式の移動局では、常に現在通信を行なっているセルと周辺のセルの受信電力を測定・監視することが必要となる。
【０００３】
図１５は従来のＣＤＭＡ受信装置の要部構成を示すブロック図である。
この図１５に示す従来のＣＤＭＡ受信装置は、アンテナ１０１と、アナログ無線（ＲＦ）回路１０２と、Ａ／Ｄ変換器１０３と、遅延プロファイル測定回路１０４と、有効パス選択回路４０１と、セル受信電力測定部（電力化部）１０６と、複数の逆拡散器を有するフィンガ部１０７と、復調回路１０８とをそなえて構成されている。また、有効パス選択（検出）回路４０１は、上位電力パス選択回路４０２と、電力足切り回路４０３とをそなえて構成されている。
【０００４】
このような構成において、アンテナ１０１にて無線信号が捉えられると、アナログ無線回路１０２において所望の周波数帯域の選択と、信号の増幅と、信号のダウンコンバートとが行なわれ、当該無線信号はベースバンド信号としてＡ／Ｄ変換器１０３に入力される。
Ａ／Ｄ変換器１０３は、入力された受信信号（アナログ信号）をディジタル信号に変換する。変換後のディジタル信号の一部又は全ては、遅延プロファイル測定回路１０４及びフィンガ部１０７にそれぞれ入力される。
【０００５】
遅延プロファイル測定回路１０４は、所定のシンボル数分の遅延プロファイル測定（パスサーチ）を行なって遅延プロファイル（複数パスから到達するスペクトラム拡散された受信信号の遅延時間に対する信号相関値電力分布）を作成する。そして、作成した遅延プロファイルを有効パス選択回路４０１に入力する。
有効パス選択回路４０１に入力された遅延プロファイルは、上位電力パス選択回路４０２に入力され、そこで相関値電力ピークを検出し、検出した相関値電力ピークの中の上位から、予め設定された個数分を選択し、電力足切り回路４０３へ入力する。電力足切り回路４０３では、入力された相関値電力ピーク値を予め設定された閾値により選別し、有効パスとしてパスの時間的位置（パスタイミング）をフィンガ部１０７に入力し、相関値電力をセル受信電力測定部１０６に入力する。
【０００６】
フィンガ部１０７は、受信信号の逆拡散を行なう。即ち、フィンガ部１０７は、Ａ／Ｄ変換器１０３からの信号と有効パス選択回路４０１からパスタイミング（フィンガ割り当て情報）を受け取る。そして、当該パスタイミングを考慮してＡ／Ｄ変換器１０３からの信号を逆拡散する。フィンガ部１０７は、逆拡散を行なったデータを復調回路１０８に入力し、復調回路１０８は逆拡散を行なったデータを復調し後段の回路へ出力する。
【０００７】
一方、セル受信電力測定部１０６は、有効パス選択回路４０１から入力される有効パスの相関値電力を基にセルの受信電力を測定する。
なお、有効パス選択回路４０１については、(1)遅延プロファイルを基に相関値電力から相関値電力平均を算出し、算出した相関値電力平均からパス選択閾値を求める構成や、(2)遅延プロファイルを基に相関値電力から最大の相関値電力を持つ最大パスを検出し、検出した最大パスの相関値電力から第２パス選択閾値を算出し、算出した第２パス選択閾値とパス選択閾値とを比較して大きい方を選択する構成、(3)遅延プロファイルを基に相関値電力の中から、相関値電力が上位から指定した数のパスの相関値電力を除いて、純粋な雑音の相関値電力平均を算出する構成等が適用されることもある。
【０００８】
また、他の従来技術として、下記特許文献１により提案されている技術もある。この特許文献１の技術（パスタイミング検出装置）は、パスタイミングの検出周期を短くする手法とは別に、適切なパスタイミングの検出を可能にすることを目的としており、このために、逆拡散された複数のサンプルの電圧レベルを加算することにより算出された電圧加算出力に基づいて電力値を算出し、各タイミングにおける現電力値を算出する電力加算手段と、電力値に基づいて、各タイミングの中から、パスタイミングを選択するパスタイミング選択手段と、過去に選択された旧パスタイミング及び旧パスタイミングにおける旧電力値を保存する保存手段とをそなえ、旧電力値に所定の因子（重み付け）を乗じることにより得られる部分電力値を、旧パスタイミングに等しいタイミングにおける電力値に加算するようになっている。
【０００９】
即ち、過去にパスタイミングとして選択されたサンプルタイミングは今回もパスタイミングとして選択される可能性が強く、過去のパスサーチ情報を有効利用して精度の高いパスタイミングを検出することを可能にするのである。したがって、選択されるべきパスタイミングがフェージングにより受信レベルが一時的に落ち込んだ場合であっても、本来の正しいパスを選択することが可能となる。
【特許文献１】特開２００４−１０４５７５号公報
【発明の開示】
【発明が解決しようとする課題】
【００１０】
しかしながら、図１５により上述した従来技術では、有効パス選択（検出）回路４０１に、有効パスと雑音の切り分けに閾値で電力足切りする電力足切り回路４０３を用いているため、閾値を雑音の相関値電力に対し高く設定すれば、相関値電力の低い有効パスを検出できない。また、逆に閾値を低く設定すれば雑音を有効パスとして誤検出する確率が増え、精度の高いセルの受信電力の測定が出来ない。また、閾値に近い相関値電力をもつ有効パスにおいては測定毎に検出と不検出を遷移し、安定した電力測定が出来ないため、セルの送信電力測定精度の劣化原因となる。
【００１１】
例えば図１６に示すような遅延プロファイル測定結果において、閾値２０１を雑音の相関値電力に対し高く設定すると、有効パス２０２，２０３，２０４，２０５のうち、有効パス２０２は相関値電力が低いため、有効パスとして検出されない。また、有効パス２０５の相関値電力は閾値２０１と差がほとんどないため遅延プロファイルの測定毎に検出及び不検出を遷移する。
【００１２】
これに対し、例えば図１７に示すような遅延プロファイル測定結果において、閾値３０１を雑音の相関値電力に対し低く設定すると、有効パス３０２，３０３，３０４，３０６のうち、相関値電力が閾値に近い有効パス３０２及び有効パス３０６も、閾値３０１を低く設定したため有効パスとして検出されているが、雑音３０５も誤検出されることになる。
【００１３】
また、上述した特許文献１の技術では、過去に選択された旧パスタイミング及び旧パスタイミングにおける旧電力値に所定の因子（重み付け）を乗じることにより得られる部分電力値を、旧パスタイミングに等しいタイミングにおける電力値に加算（上乗せ）して、過去（直前）にパスタイミングとして選択されたサンプルタイミングが選択され易いようにしているが、前回パスタイミングとして選択されたタイミングが今回は雑音成分のパスタイミングになっている可能性もあり、上記電力値の上乗せによりその後の処理で雑音成分のパスタイミングが選択され易くなってしまう可能性がある。また、この特許文献１の技術では、蓄積・使用する過去の情報（パスタイミング及び電力値）を増やすことで、パス選択精度を向上できる可能性もあるが、そのためにはパスサーチ頻度を増やす必要があり、消費電力の面で不利である。
【００１４】
本発明は、このような課題に鑑み創案されたもので、送信装置からマルチパス経由で到達する信号を、より少ない回数のパスサーチ結果でも正確に選択できるようにして、マルチパス環境における受信状態（受信感度）及び受信電力測定性能を改善できるようにすることを目的とする。
【課題を解決するための手段】
【００１５】
上記の目的を達成するために、本発明の受信装置（請求項１）は、複数パスから到達するスペクトラム拡散された受信信号の遅延時間に対する信号相関値電力分布である遅延プロファイルを定期的に測定する遅延プロファイル測定手段と、該遅延プロファイル測定手段により測定された複数回の遅延プロファイル測定結果のそれぞれにおける上位所定個数の信号相関値電力（以下、単に「相関電力値」という）のパス遅延同士を相互に比較してパス遅延が所定値差以内のパスを有効パスとして選択する有効パス選択手段とをそなえたことを特徴としている。
【００１６】
ここで、該有効パス選択手段は、上記複数回の遅延プロファイル測定結果毎に、前記相関電力値の高い順に前記上位所定個数のパスを選択する測定結果毎上位パス選択部と、該測定結果毎上位パス選択部により選択された各回上位所定個数のパスのパス遅延同士を相互に比較してパス遅延が前記所定値差以内で所定個数存在するパスを該有効パスとして選択する同一パス判定部とをそなえて構成されていてもよい（請求項２）。
【００１７】
また、該有効パス選択手段は、該同一パス判定部において該有効パスの選択結果が０の場合に、上記複数回の遅延プロファイル測定結果全体の中で相関電力値が高い上位所定個数のパスを該有効パスとして選択する測定結果全体上位パス選択部をさらにそなえて構成されていてもよい（請求項３）。
さらに、該有効パス選択手段は、該同一パス判定部における上記所定値差及び上記所定個数のいずれか一方又は双方を該受信信号の受信環境変化に応じて可変するパラメータ制御部をさらにそなえていてもよい（請求項４）。
【００１８】
また、本発明の受信装置におけるパス選択方法（請求項５）は、複数パスから到達するスペクトラム拡散された受信信号の遅延時間に対する信号相関値電力分布である遅延プロファイルを複数回測定し、該遅延プロファイル測定手段により測定された複数回の遅延プロファイル測定結果のそれぞれにおける上位所定個数の信号相関値電力のパス遅延同士を相互に比較してパス遅延が所定値差以内のパスを有効パスとして選択することを特徴としている。
【発明の効果】
【００１９】
上記の本発明によれば、上記複数回の遅延プロファイル測定結果の各回上位所定個数のパス遅延同士を相互に比較することで有効パスを選択するので、正しいパスと雑音によるパスの電力値の差が小さい場合でも、また、比較対象のパスサーチ結果回数が少ない場合（最低二回）でも、時間的に相関性の低い雑音パスのみを除去でき、正しいパスのみを選択することができる。したがって、マルチパス環境における受信状態及び受信電力測定性能を改善することが可能となる。
【００２０】
また、パス遅延が所定値差以内のものを有効パスとして選択するので、周波数偏差や受信装置の移動速度等の影響でパス遅延が多少異なる場合でも正しいパスのみを選択することができる。
さらに、正しいパスと雑音によるパスの電力値の差が小さく、有効パスが検出できないような場合でも、相関電力値の高いものから順に所定個数だけ有効パスとして選択するので、受信電力測定結果のばらつきを抑えることができる。
【００２１】
また、受信信号の受信環境変化に応じて前記の所定値差及び所定個数のいずれか一方又は双方を可変（調整）できるので、例えば、遅延プロファイル測定間隔や、移動スピード、相関電力値等の状況変化に応じて最適な前記所定値差及び所定個数を設定でき、有効パスの選択精度を向上することができる。
【発明を実施するための最良の形態】
【００２２】
〔Ａ〕一実施形態の説明
図１は本発明の一実施形態としてのＣＤＭＡ受信装置の要部構成を示すブロック図で、この図１に示すＣＤＭＡ受信装置１も、図１５により前述したものと同様の、アンテナ１０１，アナログ無線（ＲＦ）回路１０２，Ａ／Ｄ変換器１０３，遅延プロファイル測定回路１０４，セル受信電力測定部（電力化部）１０６，複数の逆拡散器を有するフィンガ部１０７および復調回路１０８をそなえるほか、有効パス選択（検出）回路１０５として、上位電力パス選択回路１０９及び同一パス判定部１１０をそなえて構成されている。即ち、本実施形態のＣＤＭＡ受信装置１は、図１５に示すものに比して、有効パス選択回路４０１に代えて、有効パス選択回路１０５がそなえられている点が主に異なる。
【００２３】
ここで、アナログ無線回路１０２は、本実施形態においても、アンテナ１０１にて受信された無線信号について、所望の周波数帯域の選択と、信号の増幅と、信号のダウンコンバートとを行なって、ベースバンド信号を得るものであり、Ａ／Ｄ変換器１０３は、このアナログ無線回路１０２から入力された受信信号（アナログ信号）をディジタル信号に変換するもので、変換後のディジタル信号の一部又は全ては、遅延プロファイル測定回路１０４及びフィンガ部１０７にそれぞれ入力される。
【００２４】
遅延プロファイル測定回路（遅延プロファイル測定手段）１０４は、セル情報を基にして遅延プロファイル（複数パスから到達するスペクトラム拡散された受信信号の遅延時間に対する信号相関値電力分布）の測定（以降、パスサーチと称することがある）を定期的に（例えば、数十ｍｓ等の周期で）実行するものであり、有効パス選択回路（有効パス選択手段）１０５は、この遅延プロファイル測定回路１０４により測定された複数回の遅延プロファイル測定結果のそれぞれにおける上位所定個数の信号相関値電力（以下、単に「相関電力値」という）のパス遅延（パスタイミング）同士を相互に比較してパス遅延が一致又は略一致する（つまり、所定値差以内の）パスを有効パスとして選択するものである。
【００２５】
このため、本有効パス選択回路１０５において、上位電力パス選択部（測定結果毎上位パス選択部）１０９は、パスサーチ結果毎に、パス遅延量と相関電力値について、予め定められたパス数の結果を相関電力値の大きい順に並べなおし、その結果を上位から所定数だけ出力する機能を有するものである。なお、当該所定数は各回のパスサーチ結果で同じ数でもよいし、変えてもよい。
【００２６】
同一パス判定部１１０は、上位電力パス選択部１０９の出力から同一パスのパス遅延量及び相関電力値を判定するもので、例えば図２に示すように、結果保存メモリ１１１，同一パス認識部１１２，上位パス選択部１１８及びセレクタ部１１９をそなえて構成され、同一パス認識部１１２は、さらに遅延差閾値設定部１１３，上位有効パス数値設定部１１４及びパス比較部１１５をそなえて構成され、上位パス選択部１１８は、対象パス選択部１１６及び０パス時対象パス数設定部１１７をそなえて構成される。
【００２７】
ここで、結果保存メモリ１１１は、上位電力パス選択部１０９から出力された、選択された遅延プロファイル情報を保存するもので、ここでは、複数回のプロファイル情報を保存可能であり、同一パス認識部１１２及び上位パス選択部１１８により参照されるようになっている。
同一パス認識部１１２は、遅延差閾値設定部１１３に保存されている遅延差閾値と、上位有効パス数値設定部１１４に保存されている上位有効パス数値とに応じて、結果保存メモリ１１１に保存されている複数回のプロファイル情報を基にパス比較部１１５によりパス比較を行なって、同一パスを選択するものである。
【００２８】
上位パス選択部（全体上位パス選択部）１１８は、結果保存メモリ１１１に保存された複数回の遅延プロファイル測定結果の全体から、セレクタ部１１９に対して、相関電力値の大きい順に０パス時対象パス数設定１１７に保存された値だけ出力する機能を有するものである。なお、上記の各種設定部１１３，１１４及び１１７は、いずれも、ＲＡＭやレジスタ等の所要の記憶媒体によって実現できる。
【００２９】
そして、セレクタ部１１９は、同一パス認識部１１２の出力と上位パス選択部１１８の出力のいずれか一方を選択出力するもので、ここでは、同一パス認識部１１２の認識結果が同一パスなし（０）という結果のときに、上位パス選択部１１８の結果の出力を選択し、同一パスが存在した場合は、同一パス認識部１１２の出力を選択するようになっている。
【００３０】
なお、同一パス判定部１１０が出力した結果は、セル受信電力測定部１０６で電力値に変換され、電力測定結果として報告される。また、同時にフィンガ部１０７に入力されフィンガの設定情報（パス割り当て）に使用される。
フィンガ部１０７は、Ａ／Ｄ変換器１０３からの信号と有効パス選択回路１０５からパスタイミングを受け取り、当該パスタイミングを考慮してＡ／Ｄ変換器１０３からの信号を逆拡散するものであり、復調回路１０８は、このフィンガ部１０７で逆拡散を行なったデータを復調して後段の回路へ出力するものであり、セル受信電力測定部１０６は、有効パス選択回路１０５から入力される有効パスの相関値電力を基にセルの受信電力を測定するものである。
【００３１】
以下、上述のごとく構成された本実施形態のＣＤＭＡ受信装置１の動作について説明すると、まず、アンテナ１０１にて無線信号が捉えられると、アナログ無線回路１０２において所望の周波数帯域の選択と、信号の増幅と、信号のダウンコンバートとが行なわれ、ベースバンド信号としてＡ／Ｄ変換器１０３に入力される。
Ａ／Ｄ変換器１０３は、入力された受信信号（アナログ信号）をディジタル信号に変換する。変換後のディジタル信号の一部又は全ては、遅延プロファイル測定回路１０４及びフィンガ部１０７に入力される。
【００３２】
遅延プロファイル測定回路１０４は、セル情報を基にして遅延プロファイル測定（パスサーチ）を実行する。その出力は、上位電力パス選択部１０９に入力される。上位電力パス選択部１０９は、パスサーチ結果であるパス遅延と相関電力値について、予め定められたパス数の結果を相関電力値の大きい順に並べなおし、その結果を上位より所定数だけ同一パス判定部１１０に出力する。
【００３３】
同一パス判定部１１０では、上位電力パス選択部１０９から出力された、選択された遅延プロファイル情報を結果保存メモリ１１１（以下、単に「メモリ」ともいう）に保存する。そして、同一パス認識部１１２では、メモリ１１１に保存された複数回分の遅延プロファイル情報の比較をパス比較部１１５によって行ない、遅延差閾値設定部１１３に保存されている遅延差閾値設定と、上位有効パス数値設定部１１４に保存されている上位有効パス数値とに応じて、同じ（又は略同じ）パスタイミングのパスを選択する。選択した結果及び遅延プロファイル情報は、セレクタ部１１９に出力される。
【００３４】
一方、上位パス選択部１１８では、メモリ１１１に保存された複数回分の遅延プロファイル情報から、電力相関値の大きい順に０パス時対象パス数設定１１７に保存された値（０パス時対象パス数）だけ、セレクタ部１１９に出力する。
セレクタ部１１９では、同一パス認識部１１２が出力した結果が同一パスなし（＝０）という結果であれば、上位パス選択部１１８の結果を用いて対象パスを選択し、セル受信電力測定部１０６及びフィンガ部１０７に出力する。同一パスが存在した場合は、同一パス認識部１１２の出力をセル受信電力測定部１０６及びフィンガ部１０７に出力する。この場合、上位パス選択部１１８の結果は使用されない。また、セレクタ部１１９の出力は電力化部１０６で電力化される。
【００３５】
次に、パス比較部１１５でのパス比較についてより詳細に説明する。なお、本実施形態では、複数回のパスサーチを実行した結果を用いるが、ここでは簡便化のため二回のパスサーチ結果を用いて同一パス比較する場合の説明を行なうが、３回以上のパスサーチ結果を用いる場合も比較対象の情報が増えるだけで基本動作は下記と同様である。
同一パス判定部１１０には、変数（パラメータ）として、遅延差閾値設定部１１３における遅延差閾値と、有効パス上限値設定部１１４における有効パス上限値と、０パス時対象パス数設定部１１７における０パス時対象パス数が存在する。
【００３６】
（Ａ１）同一パスタイミングのパスのみを抽出する場合
まず、これらの設定が、遅延差閾値＝０、有効パス上限値＝４、０パス時対象パス数＝４の場合について説明する。実際のパスが遅延量（パスタイミング）１４，２７，３７，５６にそれぞれ存在する場合を仮定する。この環境において、遅延プロファイル測定回路１０４で二回行なわれた遅延プロファイル測定結果例を図３及び図４に示す。なお、これらの図３及び図４において、丸付き数字１〜８は相関電力値の大きいものから数えた場合の順序を示している。また、この場合の上位電力パス選択部１０９の出力（一回目及び二回目の各パスサーチ結果）は図５（Ａ）及び図５（Ｂ）に示すようになる。
【００３７】
図３に示すように、一回目のパスサーチ結果では、パスタイミング５，３３，５０の雑音が、実際にパスが存在するパスタイミング３７の結果よりも一時的に大きい結果となっている。通常の閾値による電力測定では、上位から所定の数のパスを使用するか、閾値を用いて電力測定するが、これらの方法では雑音を電力化したり、信号を切り捨てる可能性がある。また、二回目のパスサーチ結果では、図４に示すように、パスタイミング１１の相関電力値が大きく、先ほどと同じく雑音が信号として電力化されてしまう可能性がある。
【００３８】
これに対して、本実施形態では、これらの雑音を容易に除去することが可能である。即ち、本実施形態では、パス比較部１１５において、一回目と二回目のパスサーチ結果でいずれも相関電力値の高かったパスタイミング（つまり、時間的に相関の高いパス）のみを実際のパスのタイミングとみなして抽出し、ある時点で高い相関電力値が得られていても次の時間では低い相関電力値となるような時間的に相関の低いパスタイミングの相関電力値は雑音成分であるとみなすことにより、パスの選別を行なう。
【００３９】
ここで、一回目と二回目のパスサーチ結果においてパスタイミングが完全に一致しない場合もあるため、本実施形態では、パスタイミングが所定値差以内のパス（遅延差が閾値以下のパス）は同一とみなして、当該同一パスを有効パスとして抽出する。ここで、同一とみなされる個数は遅延差閾値設定１１３に格納されているが、今回の例では０が格納されているので、同じ遅延量（パスタイミング）のパスのみが同一と認識される。即ち、図３〜図５の例では、相関電力値が一回目と二回目のパスサーチ結果で遅延量が一致するパスタイミング１４，２７，３７，５６のパスが同一パスとして認識されることになる。
【００４０】
また、上位有効パス数値設定部１１４には、このように認識した同一パスのうち相関電力値の上位から幾つを電力測定の対象にするかという情報が格納されており、パス比較部１１５は、その情報に従って電力測定対象のパスを選択する。今回の例の場合では、上位有効パス数値＝４が設定されているので、上記の各パスタイミング１４，２７，３７，５６は全て選択される〔図５（Ａ）及び図５（Ｂ）の網がけ部参照〕。パス比較部１１５は、このように選択したパスの遅延量及び相関電力値をセットでセレクタ部１１９に出力する。
【００４１】
一方、上位パス選択部１１８では、０パス時対象パス数設定部１１７に格納されている値に従って、対象パス選択部１１６により、二回のパスサーチ結果から相関電力値の大きい順に４つのパスを選択する。今回の例では、一回目のパスサーチ結果からパスタイミング１４，２７，５６、二回目のパスサーチ結果からパスタイミング１１の順に選択され、セレクタ部１１９に出力される。
【００４２】
セレクタ部１１９は、同一パス認識部１１２での比較の結果、同一パス数が０でないので、同一パス認識部１１２の出力を有効として、電力化部１０６及びフィンガ部１０７に出力する（上位パス選択部１１８の選択結果は使用しない）。
このようにして、複数回のパスサーチ結果のそれぞれにおける相関電力値の上位所定個数のパスタイミング同士を相互に比較して一致するパス、つまり、時間的に相関性の高いパスを有効パスとして選択することにより、正しいパスと雑音によるパスの電力値の差が小さい場合でも、また、比較対象のパスサーチ結果回数が少ない場合（最低二回）でも、時間的に相関性の低い雑音パスのみを効果的に除去することできる。したがって、パスサーチ結果を用いた電力測定において、従来の閾値による対象パス選択方法で問題となっていた、相関電力値の低い有効パスを検出できない問題や、雑音を有効パスとして誤検出してしまう問題を解消でき、精度の高い受信電力の測定が可能となる。
【００４３】
特に、パスサーチ回数が少なくても雑音パスを効果的に除去できるので、複数回のパスサーチ結果を１セットとして当該セットでのパスサーチ間隔は短くし、セット間のパスサーチ間隔は長くする等のパスサーチ周期の制御を行なうことも可能となり、雑音パスを効果的に除去しつつ、パスサーチ回数の増加による消費電力の増大を抑制することも可能となる。
【００４４】
また、閾値を設けないため、従来の方法で問題となっていた、閾値に近い相関電力値をもつ有効パスが測定毎に検出と未検出を遷移し安定した電力測定が行なえないという問題も解消できる。そして、複数回の遅延プロファイル結果を基にフィンガ部１０７に対するフィンガ割り当て情報（パスタイミング）を生成（選択出力）するため、フィンガ割当て情報の精度が向上し、その結果、ＣＤＭＡ受信装置１の受信感度も改善される。
【００４５】
（Ａ２）所定の許容範囲内に存在するパスタイミングのパスを同一パスとみなして抽出する場合
次に、遅延差閾値設定部１１３における遅延差閾値＝１、上位有効パス数値設定部１１４における上位有効パス数値＝４、０パス時対象パス数設定部１１７における０パス時対象パス数＝４の場合について説明する。この場合も、実際のパスがパスタイミング１４，２７，３７，５６に存在する場合を仮定する。この環境において、遅延プロファイル測定回路１０４で二回行なわれた遅延プロファイル測定結果例を図６及び図７に示す。なお、この場合も、図６及び図７において、丸付き数字１〜８は相関電力値の大きいものから数えた場合の順序を示している。また、この結果から、上位電力パス選択部１０９の出力（一回目及びに回目の各パスサーチ結果）は図８（Ａ）及び図８（Ｂ）に示すようになる。
【００４６】
今回の例では遅延差閾値＝１となっているので、図６及び図８（Ａ）に示す一回目のパスタイミング１４と、図７及び図８（Ｂ）に示す二回目のパスタイミング１５は、完全には一致しないが遅延差閾値＝１以内のずれである（略一致している）から、同一パスと認識される。同様に、図６及び図８（Ａ）に示す一回目の遅延量３７と、図７及び図８（Ｂ）に示す二回目の３６も同一パスと認識される。よって、今回の例では、パスタイミング１４（１５），２７，３７（３６），５６のパスがパス比較部１１５において同一パスとみなされる〔図８（Ａ）及び図８（Ｂ）の網がけ部参照〕。このように選択されたパスについてのパスタイミングと相関電力値はセットでセレクタ部１１９に出力される。以降は上記（Ａ１）の場合と同様である。
【００４７】
本例によれば、複数回のパスサーチ結果におけるパスタイミングが所定値差以内の相関電力値が上位のパスを有効パスとしてみなして選択するので、周波数偏差や移動速度等の影響で若干遅延が異なる場合でも正しいパスのみを選択することが可能となる。
（Ａ３）同一パス認識部１１２で同一パスを認識できない場合
続いて、遅延差閾値設定部１１３における遅延差閾値＝０、上位有効パス数値設定部１１４における上位有効パス数＝４、０パス時対象パス数設定部１１７における０パス時対象パス数＝４の場合について説明する。なお、本例では、実際のパスがパスタイミング１４に存在し、その電力が雑音とほぼ等しい場合を仮定する。この環境において、遅延プロファイル測定回路１０４で二回行なわれた遅延プロファイル測定結果例を図９及び図１０にそれぞれ示す。この結果から、上位電力パス選択部１０９の出力は、図１１（Ａ）及び図１１（Ｂ）に示すようになる。この場合、一回目と二回目のパスサーチ結果で同一パス認識部１１２により同一パスと認識されるパスは存在しない。
【００４８】
そのため、同一パス認識部１１２からは同一パス＝０という情報が出力される。一方、上位パス選択部１１８では、二回のパスサーチ結果から相関電力値の大きい順に４パス分選択される。図９〜図１１に示す例では、一回目のパスタイミング１４，４，２２、二回目のパスタイミング１の順に選択される。この結果がセレクタ部１１９に出力される。セレクタ部１１９は、同一パス選択部１１２の出力が同一パス＝０という結果だったため、上位パス選択部１１８の出力を選択して電力化部１０６に出力する。
【００４９】
このように、同一パスが認識できないような環境（雑音との区別がつきにくい環境）においても、有効パスのタイミングとして実際のパス（パスタイミング１４）を選択することができる〔図１１（Ａ）の網がけ部参照〕。
このように、本例によれば、正しいパスと雑音によるパスの電力値の差が小さく、同一パス認識部１１２により有効パスが検出されない場合でも、実際のパスに近い電力値を選択できるので、受信電力測定結果のばらつきを抑えることが可能となる。
【００５０】
〔Ｂ〕変形例の説明
上述した３つの例では、遅延差閾値設定部１１３、上位有効パス数値設定部１１４、０パス時対象パス数設定部１１７にける各種の設定値（パラメータ）を固定している場合について説明したが、遅延プロファイル（パスサーチ結果）は移動局（ＣＤＭＡ受信装置１）の周囲環境や移動速度等に応じて刻一刻と変動するため、上記の各種設定値を固定すると測定精度も変動する可能性がある。
【００５１】
そこで、本例では、例えば図１２に示すように、環境分析部１２０を同一パス判定部１１２に追加し、当該環境分析部１２０において、ＣＤＭＡ受信装置１についての様々な環境情報（受信信号の受信環境に関する情報）を収集し、その結果（受信環境変化）に応じて上記各種設定値を変更できるようにしている。なお、この図１２において、他の既述の符号を付した部分は、いずれも、既述のものと同一若しくは同様のものである。
【００５２】
環境情報の一例としては、例えば、信号受信状態（ノイズの大小）や移動局（ＣＤＭＡ受信装置１）の移動速度情報等が利用できる。
前者の場合は、例えば図１３に示すように、環境分析部１２０として、平均電力算出部１２１，上位パス選択部１２２及びパラメータ制御部１２３をそなえて構成し、平均電力算出部１２１により、メモリ１１１に保存されている複数回のパスサーチ結果を基に受信平均電力を求めるとともに、上位パス選択部１２２により、メモリ１１１に保存されている複数回のパスサーチ結果を基にピーク電力を求め、パラメータ制御部１２３により、設定値制御部１２３求めた受信平均電力とピーク電力との差分が小さければ、ノイズの多い環境と判断して、有効上位パス上限値設定部１１４における設定値を増加して有効パス数を増加させ、逆に、差分が大きければ、受信状態が良好と判断して、当該設定値を維持又は減少させるようにする。
【００５３】
一方、後者の場合は、例えば図１４に示すように、環境分析部１２０として、速度検出部１２４及びパラメータ制御部１２５をそなえて構成し、速度検出部１２４において、Ａ／Ｄ変換器１０３の出力からドップラー効果等を利用して移動局（ＣＤＭＡ受信装置１）の速度情報を検出し、パラメータ制御部１２５により、移動局の速度が或る閾値よりも速ければ、複数回のパスサーチ結果におけるパスタイミングにずれが生じやすいので、遅延差閾値設定部１１３の設定値を増加させて同一パスとみなす許容範囲を広げ、逆に、速度が或る閾値よりも遅ければ、当該設定値を維持又は減少させて同一パスとみなす許容範囲を狭くする。
【００５４】
なお、これらの機能は適宜組み合わせることも勿論可能である。また、環境情報としては、他に、遅延プロファイル測定間隔等の情報も利用できる。
このように、本例では、ＣＤＭＡ受信装置１の受信環境（遅延プロファイル測定間隔や、移動速度、相関電力値等）の変化に応じて上記各種設定値を変えることができるため、どのような環境においても測定精度（有効パスの選択精度）を劣化させることがなくなる。
【００５５】
なお、本発明は、上述した実施形態に限定されず、本発明の趣旨を逸脱しない範囲で種々変形して実施できることはいうまでもない。
〔Ｃ〕付記
（付記１）
スペクトラム拡散された受信信号について遅延プロファイルを定期的に測定する遅延プロファイル測定手段と、
該遅延プロファイル測定手段により測定された複数回の遅延プロファイル測定結果のそれぞれにおける上位所定個数の信号相関値電力のパス遅延同士を相互に比較してパス遅延が所定値差以内のパスを有効パスとして選択する有効パス選択手段と、
をそなえたことを特徴とする受信装置。
【００５６】
（付記２）
該有効パス選択手段が、
上記複数回の遅延プロファイル測定結果毎に、前記信号相関電力値の高い順に前記上位所定個数のパスを選択する測定結果毎上位パス選択部と、
該測定結果毎上位パス選択部により選択された各回上位所定個数のパスのパス遅延同士を相互に比較してパス遅延が前記所定値差以内で所定個数存在するパスを該有効パスとして選択する同一パス判定部とをそなえて構成されたことを特徴とする付記１記載の受信装置。
【００５７】
（付記３）
該有効パス選択手段が、
該同一パス判定部において該有効パスの選択結果が０の場合に、上記複数回の遅延プロファイル測定結果全体の中で信号相関電力値が高い上位所定個数のパスを該有効パスとして選択する測定結果全体上位パス選択部をさらにそなえて構成されたことを特徴とする付記２記載の受信装置。
【００５８】
（付記４）
該有効パス選択手段が、
該同一パス判定部における上記所定値差及び上記所定個数のいずれか一方又は双方を該受信信号の受信環境変化に応じて可変するパラメータ制御部をさらにそなえたことを特徴とする付記２記載の受信装置。
【００５９】
（付記５）
該有効パス選択手段が、
該上位パス選択部における上記所定個数を該受信信号の受信環境変化に応じて可変するパラメータ制御部をさらにそなえたことを特徴とする付記３記載の受信装置。
（付記６）
該有効パス選択手段により選択された前記有効パスの信号相関電力値を基に受信電力を測定する受信電力測定手段をさらにそなえたことを特徴とする、付記１〜５のいずれか１項に記載の受信装置。
【００６０】
（付記７）
該有効パス選択手段により選択された前記有効パスのパス遅延を基に当該有効パスの信号をスペクトラム逆拡散してレイク合成するフィンガ部をさらにそなえたことを特徴とする付記１〜６のいずれか１項に記載の受信装置。
（付記８）
スペクトラム拡散された受信信号について遅延プロファイルを複数回測定し、
該遅延プロファイル測定手段により測定された複数回の遅延プロファイル測定結果のそれぞれにおける上位所定個数の信号相関値電力のパス遅延同士を相互に比較してパス遅延が所定値差以内のパスを有効パスとして選択することを特徴とする受信装置におけるパス選択方法。
【産業上の利用可能性】
【００６１】
以上詳述したように、本発明によれば、複数回の遅延プロファイル測定結果のそれぞれにおける上位所定個数の信号相関値電力のパス遅延同士を相互に比較してパス遅延が所定値差以内のパスを有効パスとして選択するので、正しいパスと雑音によるパスの電力値の差が小さい場合でも、また、比較対象のパスサーチ結果回数が少ない場合でも、時間的に相関性の低い雑音パスのみを効果的に除去することできる。したがって、マルチパス環境における受信装置の受信状態（受信感度）及び受信電力測定性能を改善することができ、通信技術分野において極めて有用と考えられる。
【図面の簡単な説明】
【００６２】
【図１】本発明の一実施形態としてのＣＤＭＡ受信装置の要部構成を示すブロック図である。
【図２】図１に示す同一パス判定部の構成を示すブロック図である。
【図３】図１に示す遅延プロファイル測定回路による遅延プロファイル測定結果（一回目）の一例を示すグラフである。
【図４】図１に示す遅延プロファイル測定回路による遅延プロファイル測定結果（二回目）の一例を示すグラフである。
【図５】図３及び図４に示す遅延プロファイル測定結果のテーブルを示す図で、（Ａ）は一回目の遅延プロファイル測定結果、（Ｂ）は二回目の遅延プロファイル測定結果のテーブルをそれぞれ示す図である。
【図６】図１に示す遅延プロファイル測定回路による遅延プロファイル測定結果（一回目）の他の例を示すグラフである。
【図７】図１に示す遅延プロファイル測定回路による遅延プロファイル測定結果（二回目）の他の例を示すグラフである。
【図８】図６及び図７に示す遅延プロファイル測定結果のテーブルを示す図で、（Ａ）は一回目の遅延プロファイル測定結果、（Ｂ）は二回目の遅延プロファイル測定結果のテーブルをそれぞれ示す図である。
【図９】図１に示す遅延プロファイル測定回路による遅延プロファイル測定結果（一回目）のさらに別の例を示すグラフである。
【図１０】図１に示す遅延プロファイル測定回路による遅延プロファイル測定結果（二回目）のさらに別の例を示すグラフである。
【図１１】図９及び図１０に示す遅延プロファイル測定結果のテーブルを示す図で、（Ａ）は一回目の遅延プロファイル測定結果、（Ｂ）は二回目の遅延プロファイル測定結果のテーブルをそれぞれ示す図である。
【図１２】図１に示すＣＤＭＡ受信装置の変形例を示すブロック図である。
【図１３】図１２に示す環境分析部の構成を示すブロック図である。
【図１４】図１２に示す環境分析部の他の構成を示すブロック図である。
【図１５】従来のＣＤＭＡ受信装置の要部構成を示すブロック図である。
【図１６】従来のＣＤＭＡ受信装置の課題を説明すべく遅延プロファイル測定結果の一例を示すグラフである。
【図１７】従来のＣＤＭＡ受信装置の課題を説明すべく遅延プロファイル測定結果の一例を示すグラフである。
【符号の説明】
【００６３】
１０１  アンテナ
１０２  アナログ無線（ＲＦ）回路
１０３  Ａ／Ｄ変換器
１０４  遅延プロファイル測定回路
１０５  有効パス選択回路
１０６  セル受信電力測定部
１０７  フィンガ部
１０８  復調回路
１０９  上位電力パス選択回路
１１０  同一パス判定部
１１１  結果保存メモリ
１１２  同一パス認識部
１１３  遅延差閾値設定部
１１４  上位有効パス数値設定部
１１５  パス比較部
１１６  対象パス選択部
１１７  ０パス時対象パス数設定部
１１８  上位パス選択部
１１９  セレクタ部
【図１】
2005354263.tif 000003
【図２】
2005354263.tif 000004
【図３】
2005354263.tif 000005
【図４】
2005354263.tif 000006
【図５】
2005354263.tif 000007
【図６】
2005354263.tif 000008
【図７】
2005354263.tif 000009
【図８】
2005354263.tif 000010
【図９】
2005354263.tif 000011
【図１０】
2005354263.tif 000012
【図１１】
2005354263.tif 000013
【図１２】
2005354263.tif 000014
【図１３】
2005354263.tif 000015
【図１４】
2005354263.tif 000016
【図１５】
2005354263.tif 000017
【図１６】
2005354263.tif 000018
【図１７】
2005354263.tif 000019